(57)【要約】【課題】ネット上の意見交換の場やゲーム参加のキャラクターのグループ分け。【解決手段】ブログや電子掲示板等を提供する複数のウェブサイトを所定条件下でグループ分けするグループ分けシステムであって、ウェブサイトを開設する会員の会員端末と情報の送受信を行い、ウェブサイトの管理とグループ分けをするグループ分け管理サーバ１とを備え、グループ分け管理サーバ１は、会員情報データベース１１と、グループ分けする条件を記録するグループ条件データベース１２と、グループ情報データベース１３と、データベース管理手段１５と、グループ条件判定手段１６とを有し、グループ条件判定手段１６は、ウェブサイト間でのリンク発生ごとに、少なくとも何れか一方のウェブサイトについてグループ条件に該当するかの判定を行い、グループ情報データベース１２にグループ加入の登録を行う。【選択図】図１
2008003969.tif 000002
【特許請求の範囲】
【請求項１】
ブログや電子掲示板等のネットワークコミュニケーションを提供する複数のウェブサイトを所定の条件下でグループ分けするグループ分けシステムであって、前記ウェブサイトを開設する会員の会員端末と、該会員端末と情報の送受信を行い前記ウェブサイトの管理を行うとともに、前記ウェブサイトをグループ分けするグループ分け管理サーバとを備えてなり、
前記グループ分け管理サーバは、前記会員に関する情報とそのウェブサイトの情報とを記録する会員情報データベースと、前記ウェブサイトをグループ分けする条件を記録するグループ条件データベースと、グループとそのグループに属するウェブサイトの情報であるグループ情報を記録するグループ情報データベースと、上記各データベースの記録情報の修正更新等を行うデータベース管理手段と、前記ウェブサイトが所定のグループ分け条件に該当するか判定するグループ条件判定手段と、前記会員端末と情報の送受信を行う送受信手段と、上記データベースと上記各手段とを制御する制御手段とを有し、
前記グループ条件には、所定期間内に他のウェブサイトからリンクされる数が所定数以上であることが含まれ、
前記グループ条件判定手段は、前記ウェブサイト間でのリンク発生ごとに、少なくともリンクされた側のウェブサイトについてグループ条件に該当するかの判定を行い、前記データベース管理手段がグループ条件に該当するウェブサイトを、前記グループ情報データベースにグループ加入の登録を行うことを特徴とするグループ分けシステム。
【請求項２】
前記グループ情報データベースには、各グループ毎に定められたグループ識別標識に関するグループ識別標識情報が記録され、前記データベース管理手段は、グループ分けによりグループ加入したウェブサイトに前記グループ識別標識を表示するために、前記会員情報データベースに前記グループ識別情報を前記ウェブサイトに関連付けて記録することを特徴とする請求項１に記載のグループ分けシステム。
【請求項３】
ネットワークを通じて行うネットワークゲームに参加するゲーム上のキャラクターを所定の条件下でグループ分けするグループ分けシステムであって、前記キャラクターとして参加するネットワークゲームの会員の会員端末と、該会員端末と情報の送受信を行い前記ネットワークゲームの管理を行うとともに、前記キャラクターをグループ分けするグループ分け管理サーバとを備えてなり、
前記グループ分け管理サーバは、前記会員に関する情報を記録する会員情報データベースと、前記キャラクターをグループ分けする条件を記録するグループ条件データベースと、グループとそのグループに属するキャラクターの情報であるグループ情報を記録するグループ情報データベースと、提供するネットワークゲームのゲーム情報を記録するゲーム情報記録手段と、上記各データベースの記録情報の修正更新等を行うデータベース管理手段と、前記キャラクターが所定のグループ分け条件に該当するか判定するグループ条件判定手段と、前記会員端末と情報の送受信を行う送受信手段と、該送受信手段を介して前記ゲーム情報を前記会員端末に提供するゲーム情報提供手段と、上記データベースと上記各手段とを制御する制御手段とを有し、
前記グループ条件には、所定期間内に２以上のキャラクターが所定時間以上ともに前記ゲームに参加していることが含まれ、
前記グループ条件判定手段は、前記会員端末から前記ネットワークゲームにキャラクターとして参加するごとに、前記キャラクターがグループ条件に該当するかの判定を行い、前記データベース管理手段がグループ条件に該当する前記キャラクターを、前記グループ情報データベースにグループ加入の登録を行うことを特徴とするグループ分けシステム。
【請求項４】
前記グループ情報データベースには、各グループ毎に定められたグループ識別標識に関するグループ識別標識情報が記録され、前記データベース管理手段は、グループ分けによりグループ加入した前記キャラクター画像に前記グループ識別標識を表示するために、前記会員情報データベースに前記グループ識別情報を前記キャラクター情報に関連付けて記録することを特徴とする請求項３に記載のグループ分けシステム。
【請求項５】
前記グループ分け管理サーバは、前記グループ情報を前記会員端末からの閲覧要求に応じて、前記グループ情報データベースから抽出して前記会員端末に提供する閲覧情報提供手段を更に有することを特徴とする請求項１乃至４の何れか１項に記載のグループ分けシステム。
【請求項６】
ブログや電子掲示板等のネットワークコミュニケーションを提供する複数のウェブサイトを所定の条件下で行うグループ分けであり、前記ウェブサイトを開設する会員の会員端末と情報の送受信を行い前記ウェブサイトの管理を行うとともに、前記ウェブサイトをグループ分けするグループ分け管理サーバであって、
前記会員に関する情報とそのウェブサイトの情報とを記録する会員情報データベースと、前記ウェブサイトをグループ分けする条件を記録するグループ条件データベースと、グループとそのグループに属するウェブサイトの情報であるグループ情報を記録するグループ情報データベースと、上記各データベースの記録情報の修正更新等を行うデータベース管理手段と、前記ウェブサイトが所定のグループ分け条件に該当するか判定するグループ条件判定手段と、前記会員端末と情報の送受信を行う送受信手段と、上記データベースと上記各手段とを制御する制御手段とを有し、
前記グループ条件には、所定期間内に他のウェブサイトからリンクされる数が所定数以上であることが含まれ、
前記グループ条件判定手段は、前記ウェブサイト間でのリンク発生ごとに、少なくともリンクされた側のウェブサイトについてグループ条件に該当するかの判定を行い、前記データベース管理手段がグループ条件に該当するウェブサイトを、前記グループ情報データベースにグループ加入の登録を行うことを特徴とするグループ分け管理サーバ。
【請求項７】
前記グループ情報データベースには、各グループ毎に定められたグループ識別標識に関するグループ識別標識情報が記録され、前記データベース管理手段は、グループ分けによりグループ加入したウェブサイトに前記グループ識別標識を表示するために、前記会員情報データベースに前記グループ識別情報を前記ウェブサイトに関連付けて記録することを特徴とする請求項６に記載のグループ分け管理サーバ。
【請求項８】
ネットワークを通じて行うネットワークゲームに参加するゲーム上のキャラクターを所定の条件下で行うグループ分けであり、前記キャラクターとして参加するネットワークゲームの会員の会員端末と情報の送受信を行い前記ネットワークゲームの管理を行うとともに、前記キャラクターをグループ分けするグループ分け管理サーバあって、
前記会員に関する情報を記録する会員情報データベースと、前記キャラクターをグループ分けする条件を記録するグループ条件データベースと、グループとそのグループに属するキャラクターの情報であるグループ情報を記録するグループ情報データベースと、提供するネットワークゲームのゲーム情報を記録するゲーム情報記録手段と、上記各データベースの記録情報の修正更新等を行うデータベース管理手段と、前記キャラクターが所定のグループ分け条件に該当するか判定するグループ条件判定手段と、前記会員端末と情報の送受信を行う送受信手段と、該送受信手段を介して前記ゲーム情報を前記会員端末に提供するゲーム情報提供手段と、上記データベースと上記各手段とを制御する制御手段とを有し、
前記グループ条件には、所定期間内に２以上のキャラクターが所定時間以上ともに前記ゲームに参加していることが含まれ、
前記グループ条件判定手段は、前記会員端末から前記ネットワークゲームにキャラクターとして参加するごとに、前記キャラクターがグループ条件に該当するかの判定を行い、前記データベース管理手段がグループ条件に該当する前記キャラクターを、前記グループ情報データベースにグループ加入の登録を行うことを特徴とするグループ分け管理サーバ。
【請求項９】
前記グループ情報データベースには、各グループ毎に定められたグループ識別標識に関するグループ識別標識情報が記録され、前記データベース管理手段は、グループ分けによりグループ加入した前記キャラクター画像に前記グループ識別標識を表示するために、前記会員情報データベースに前記グループ識別情報を前記キャラクター情報に関連付けて記録することを特徴とする請求項８に記載のグループ分け管理サーバ。
【請求項１０】
前記グループ情報を前記会員端末からの閲覧要求に応じて、前記グループ情報データベースから抽出して前記会員端末に提供する閲覧情報提供手段を更に有することを特徴とする請求項６乃至９の何れか１項に記載のグループ分け管理サーバ。
【請求項１１】
ブログや電子掲示板等のネットワークコミュニケーションを提供する会員の開設による複数のウェブサイトの所定条件下におけるグループ分けをグループ分け管理サーバに実行させるグループ分けプログラムであって、
前記会員のウェブサイト間でのリンク情報を前記会員端末から受信する処理と、
前記リンク情報の受信ごとに、少なくともリンクされた側のウェブサイトについて、所定期間内のリンクされた数が所定数以上であることを含むグループ条件に該当するかの判定を行う処理と、
前記グループ条件に該当する前記ウェブサイトを該当するグループに加入登録を行う処理と、
を前記グループ分け管理サーバに実行させることを特徴とするグループ分けプログラム。
【請求項１２】
ネットワークを通じて行うネットワークゲームに参加する会員のゲーム上のキャラクターの所定条件下におけるグループ分けをグループ分け管理サーバに実行させるグループ分けプログラムであって、
前記会員のネットワークゲームへのキャラクターとしての参加情報を前記会員の会員端末から受信する処理と、
前記参加情報の受信ごとに、前記キャラクターが所定期間内に他のキャラクターと所定時間以上同時に参加したこと条件として含むグループ条件に該当するかの判定を行う処理と、
前記グループ条件に該当する前記キャラクターを該当するグループに加入登録を行う処理と、
を前記グループ分け管理サーバに実行させることを特徴とするグループ分けプログラム。
【発明の詳細な説明】
【技術分野】
【０００１】
本発明は、ブログ（Blog）等を提供するウェブサイトや、ネットゲームに参加するキャラクターのグループ分けを行うグループ分けシステム、グループ分け管理サーバ及びグループ分けプログラムに関するものである。
【背景技術】
【０００２】
インターネットの普及、発展に伴い、ネット上における意思表示、意見交換の場である電子掲示板、チャット、メーリングリスト及びブログ等が新たな交流の場としてのネットワークコミュニティを形成し、種々の情報を提供している。
【０００３】
しかしながら、上記のネットワークコミュニティへは多くの参加者等があり、種々雑多な意見や内容のものが氾濫しており、所望の情報へのアクセスが困難となる場合が多い。また、Social Networking Service（ＳＮＳ）等の仲間紹介欄などはそのホームページ（本明細書において「ＨＰ」とあらわすことがある）や、ブログ（Blog）との関係を示したもの過ぎず、そのＨＰが属するリンクを介したコミュニティ全体を示すものではない。
【０００４】
そこで、記事内容の属するカテゴリを表すアイコンを電子掲示板等に併記、運用することで、参加者が所望のコミュニケーションに容易にアクセスできるコミュニティ運営システムが提案されている（特許文献１参照）。
【０００５】
また複数の参加者が同時に参加して行うネットワークゲームについても、共通のアイテムを有する者同士をグループ化し、チャット等の交流によりコミュニティの活性化を図るサーバ装置等が提案されている（特許文献２参照）。
【特許文献１】特開２００４−２４０７２６号公報
【特許文献２】特開２００３−１８６８１６号公報
【発明の開示】
【発明が解決しようとする課題】
【０００６】
上記特許文献１及び２に記載のコミュニティ運営システム等は、特定の記事内容のものをグループ化したり、共通アイテムの者をグループ化することで、ネットコミュニティをより一層発展させるものである。
【０００７】
しかしながら、グループ化の条件は予めシステム管理者等が設定した恣意的なものであり、これらの条件に適合したもの同士をグループ化しても実際に相互間でコミュニケーションをおこなっているものかは不明である。
【０００８】
本発明は、実際にネット上において相互にリンクする等のコミュニケーションを行った意見提供の場や、ネットゲームでのコミュニケーションがあったキャラクター等をグループ化するシステム等の提供を目的とする。
【課題を解決するための手段】
【０００９】
前記目的を達成するために本発明が提案するものは、ブログや電子掲示板等のネットワークコミュニケーションを提供する複数のウェブサイトを所定の条件下でグループ分けするグループ分けシステムであって、前記ウェブサイトを開設する会員の会員端末と、該会員端末と情報の送受信を行い前記ウェブサイトの管理を行うとともに、前記ウェブサイトをグループ分けするグループ分け管理サーバとを備えてなり、前記グループ分け管理サーバは、前記会員に関する情報とそのウェブサイトの情報とを記録する会員情報データベースと、前記ウェブサイトをグループ分けする条件を記録するグループ条件データベースと、グループとそのグループに属するウェブサイトの情報であるグループ情報を記録するグループ情報データベースと、上記各データベースの記録情報の修正更新等を行うデータベース管理手段と、前記ウェブサイトが所定のグループ分け条件に該当するか判定するグループ条件判定手段と、前記会員端末と情報の送受信を行う送受信手段と、上記データベースと上記各手段とを制御する制御手段とを有し、前記グループ条件には、所定期間内に他のウェブサイトからリンクされる数が所定数以上であることが含まれ、前記グループ条件判定手段は、前記ウェブサイト間でのリンク発生ごとに、少なくともリンクされた側のウェブサイトについてグループ条件に該当するかの判定を行い、前記データベース管理手段がグループ条件に該当するウェブサイトを、前記グループ情報データベースにグループ加入の登録を行うことを特徴とするグループ分けシステムである。
【００１０】
前記おいて、ブログや電子掲示板等のネットワークコミュニケーションには、さらにチャット、メーリングリスト、ウィキ、ネットニュース等のインターネット等のネットワークを介した情報の流通を行うものが含まれる。
【００１１】
そして上記のネットワークコミュニケーションを提供する各ウェブサイトを所定の条件下でグループ分けするとは、例えば複数あるウェブサイトを、それぞれ複数のグループに分けたり、あるいは一つのグループを複数のグループに分割することをいう。
【００１２】
グループ分けの対象となるウェブサイトは、例えば同一のグループ分け管理サーバ（以下適宜「管理サーバ」と略す）の提供管理下にあるウェブサイト同士であって、グループ分けに同意したものである。そしてこのウェブサイトを開設するのは、管理サーバが提供管理するウェブサイト開設用の会員であって自己の端末（会員端末）が管理サーバと情報の送受信が可能なものが該当する。
【００１３】
会員情報データベースに記録される会員に関する情報とそのウェブサイトの情報とは、ウェブサイトを開設する会員の氏名、住所、管理料とその支払い等の情報と、そのウェブサイトへの掲載情報が該当する。
【００１４】
またグループ条件データべースに記録されるグループ条件は、例えば提供する情報のカテゴリに応じて各ウェブサイトを区分するための各分類条件、そして相互にグループ化するために必要とされるリンク数等を規定するものである。より具体的には、例えば国際政治に関する記事情報を中心に扱うウェブサイトのグループを形成する場合、このグループ条件として、ウェブサイトの掲載記事の６０％以上が国際政治に関するものという条件と、この条件を満足するウェブサイト間でのリンクされる掲載記事が一月に１０件以上あるもの同士という条件が該当する。なおこのグループ条件は、グループ化対象のウェブサイト数の増減や、会員の必要度に応じて変更することが望ましい。またリンクには、リンクする側である場合とリンクされる場合の双方があるが、記事内容の利用度という点からはリンクされる数が多いものをグループ化の対象とすべきである。しかし、双方ともグループ条件の対象としてもよく、あるいはリンクされる場合に限るとか、その逆にリンクする場合に限るとしてもよく、さらにリンクされる場合に重み付けをしてリンク数のカウントをしてもよい。リンクのあるなしが実際に利用され、コミュニケーションに寄与しているものか否かの尺度になるからである。
【００１５】
グループ情報データベースには、各グループの特性を示す情報とそのグループに加入登録されている各ウェブサイトの情報を含むグループ情報が記録されており、これらは管理サーバが提供するウェブサイトに掲載され、会員端末からアクセスすることができるので、会員は各グループの特性、例えば所属するウェブサイトのカテゴリ等から、所望のカテゴリのウェブサイトにアクセスすることができる。
【００１６】
またデータベース管理手段は、各データベースの修正、更新を行うもので、会員の加入、退会、変更、そして会員ウェブサイトの更新入力を記録し、さらにグループ条件の変更入力を記録し、グループ加入登録と、グループ加入のウェブサイトの情報の記録等をそれぞれ該当する各データベースに記録するものである。
【００１７】
このように、会員のウェブサイト相互で掲載記事のリンクが発生する毎に、グループ条件の判定を行い、該当するウェブサイトを該当するカテゴリのグループに加入登録して、その内容を各会員に提供するので、実際にリンクされた利用度の高い、コミュニケーションの対象となった記事内容のウェブサイトにアクセスすることが可能になる。
【００１８】
前記グループ情報データベースには、各グループ毎に定められたグループ識別標識に関するグループ識別標識情報が記録され、前記データベース管理手段は、グループ分けによりグループ加入したウェブサイトに前記グループ識別標識を表示するために、前記会員情報データベースに前記グループ識別情報を前記ウェブサイトに関連付けて記録することができる。
【００１９】
すなわちウェブサイトが加入登録される各グループには、その識別標識が定められており、グループに加入登録されたウェブサイトにそのグループ識別標識を表示すべく、グループ識別情報をウェブサイトに関連付けて記録するものである。このグループ識別標識は、管理サーバが提供するウェブサイトに掲載されるグループ情報にも当然表示されるものである。これよりウェブサイトがグループに加入したことを容易に視認でき、グループへのアクセスも容易になる。
【００２０】
また上記目的を達成するために本発明が提案するものは、ネットワークを通じて行うネットワークゲームに参加するゲーム上のキャラクターを所定の条件下でグループ分けするグループ分けシステムであって、前記キャラクターとして参加するネットワークゲームの会員の会員端末と、該会員端末と情報の送受信を行い前記ネットワークゲームの管理を行うとともに、前記キャラクターをグループ分けするグループ分け管理サーバとを備えてなり、前記グループ分け管理サーバは、前記会員に関する情報を記録する会員情報データベースと、前記キャラクターをグループ分けする条件を記録するグループ条件データベースと、グループとそのグループに属するキャラクターの情報であるグループ情報を記録するグループ情報データベースと、提供するネットワークゲームのゲーム情報を記録するゲーム情報記録手段と、上記各データベースの記録情報の修正更新等を行うデータベース管理手段と、前記キャラクターが所定のグループ分け条件に該当するか判定するグループ条件判定手段と、前記会員端末と情報の送受信を行う送受信手段と、該送受信手段を介して前記ゲーム情報を前記会員端末に提供するゲーム情報提供手段と、上記データベースと上記各手段とを制御する制御手段とを有し、前記グループ条件には、所定期間内に２以上のキャラクターが所定時間以上ともに前記ゲームに参加していることが含まれ、前記グループ条件判定手段は、前記会員端末から前記ネットワークゲームにキャラクターとして参加するごとに、前記キャラクターがグループ条件に該当するかの判定を行い、前記データベース管理手段がグループ条件に該当する前記キャラクターを、前記グループ情報データベースにグループ加入の登録を行うことを特徴とするグループ分けシステムである。
【００２１】
ネットワークゲームに登場する各キャラクターとして参加する場合に、このゲーム上の登場人物等である各キャラクターを所定の条件下でグループ分けするグループ分けシステムにより、グループに属するキャラクター同士がゲーム上での交流のみならず、ゲーム以外においてもメール等の会話を行うことができ、ネットゲームを通じてのネットワークコミュニケーションをより図ることができる。
【００２２】
なおネットワークゲームとは、インターネット等を介してゲームを提供する管理サーバと複数台の顧客端末とが情報の送受信により行うもので、一つのゲームに複数の顧客が同時参加することができるものである。例えば、戦闘ゲーム等においては、複数人からなる顧客はこのゲーム上に用意された各役割のキャラクターを選択し、武器、陣地等を決定して、敵見方に分かれてゲームを行うものである。
【００２３】
顧客側は選択、決定を各顧客端末から入力し、これを受信した管理サーバが入力情報に応じた展開を行い、顧客端末の画面に表示するものである。
【００２４】
各キャラクターのグループ条件とは、例えばゲーム上の同一キャラクターであって、かつ同一ゲームに同時に所定時間以上参加した場合等である。このような条件であれば共通の嗜好を有し、かつ共同で参加したことからグループ化すればより一層のコミュニケーションを図るという、本発明の目的が達成できるからである。
【００２５】
会員情報データベースに記録される会員に関する情報とは、会員の氏名、住所、管理料とその支払い等の情報と、参加ゲームの種類及び参加ゲームでの選択したキャラクターと参加日時の記録等の情報が該当する。
【００２６】
グループ情報データベースには、各グループの特性を示すキャラクター情報とそのグループに加入登録されている会員ＩＤ等の情報を含むグループ情報が記録されており、これらは提供されるゲーム上にて掲載され、また会員端末からアクセスすることができる管理サーバが開設するウェブサイトのゲーム情報等でも掲載することができる。
【００２７】
またデータベース管理手段は、各データベースの修正、更新を行うもので、会員の加入、退会、変更、そして実行されたゲーム内容に応じてゲーム結果の更新入力を記録し、さらにグループ条件の変更入力を記録し、グループ加入登録と、グループ加入のウェブサイトの情報の記録等をそれぞれ該当する各データベースに記録するものである。
【００２８】
このように、会員がネットワークゲームにキャラクターとして参加するごとに、グループ条件の判定を行い、条件に該当するときは当該グループに加入登録する。加入登録によりグループ内でのコミニケーションが図られるとともに、グループ化そのものをゲーム内ゲームとして娯楽性を向上させる。
【００２９】
前記グループ情報データベースには、各グループ毎に定められたグループ識別標識に関するグループ識別標識情報が記録され、前記データベース管理手段は、グループ分けによりグループ加入したキャラクタ画像に前記グループ識別標識を表示するために、前記会員情報データベースに前記グループ識別情報を会員のキャラクター情報に関連付けて記録することができる。
【００３０】
すなわち各グループには、その識別標識が定められており、グループに加入登録されたキャラクターの画像にそのグループ識別標識を表示すべく、グループ識別情報をキャラクター情報に関連付けて記録するものである。これよりキャラクタがグループに加入したことを容易に視認することができ、より娯楽性が向上する。
【００３１】
以上に説明した本発明のいずれのグループ分けシステムにおいても、前記グループ分け管理サーバは、前記グループ情報を前記会員端末からの閲覧要求に応じて、前記グループ情報データベースから抽出して前記会員端末に提供する閲覧情報提供手段を有することができる。
【００３２】
各カテゴリのグループに属したウェブサイトの情報は所望の記事情報へのアクセスが容易になるからである。またゲーム上のグループとその属するキャラクターは、ゲームの娯楽性を向上させるので、ゲーム開始に先だってグループ所属のキャラクターの情報を提供することとした。
【００３３】
次に、上記目的を達成するために本発明がさらに提案するものは、ブログや電子掲示板等のネットワークコミュニケーションを提供する複数のウェブサイトを所定の条件下で行うグループ分けであり、前記ウェブサイトを開設する会員の会員端末と情報の送受信を行い前記ウェブサイトの管理を行うとともに、前記ウェブサイトをグループ分けするグループ分け管理サーバであって、前記会員に関する情報とそのウェブサイトの情報とを記録する会員情報データベースと、前記ウェブサイトをグループ分けする条件を記録するグループ条件データベースと、グループとそのグループに属するウェブサイトの情報であるグループ情報を記録するグループ情報データベースと、上記各データベースの記録情報の修正更新等を行うデータベース管理手段と、前記ウェブサイトが所定のグループ分け条件に該当するか判定するグループ条件判定手段と、前記会員端末と情報の送受信を行う送受信手段と、上記データベースと上記各手段とを制御する制御手段とを有し、前記グループ条件には、所定期間内に他のウェブサイトからリンクされる数が所定数以上であることが含まれ、前記グループ条件判定手段は、前記ウェブサイト間でのリンク発生ごとに、少なくともリンクされた側のウェブサイトについてグループ条件に該当するかの判定を行い、前記データベース管理手段がグループ条件に該当するウェブサイトを、前記グループ情報データベースにグループ加入の登録を行うことを特徴とするグループ分け管理サーバである。
【００３４】
上記した本発明のいずれのグループ分けシステム同様、ウェブサイトを所定の条件下でグループ分けするものであり、ウェブサイトへのリンクが発生するごとにグループ条件を判定する。
【００３５】
前記グループ情報データベースには、各グループ毎に定められたグループ識別標識に関するグループ識別標識情報が記録され、前記データベース管理手段は、グループ分けによりグループ加入したウェブサイトに前記グループ識別標識を表示するために、前記会員情報データベースに前記グループ識別情報を前記ウェブサイトに関連付けて記録することができる。
【００３６】
同じく本発明が提案するものは、ネットワークを通じて行うネットワークゲームに参加するゲーム上のキャラクターを所定の条件下で行うグループ分けであり、前記キャラクターとして参加するネットワークゲームの会員の会員端末と情報の送受信を行い前記ネットワークゲームの管理を行うとともに、前記キャラクターをグループ分けするグループ分け管理サーバあって、前記会員に関する情報を記録する会員情報データベースと、前記キャラクターをグループ分けする条件を記録するグループ条件データベースと、グループとそのグループに属するキャラクターの情報であるグループ情報を記録するグループ情報データベースと、提供するネットワークゲームのゲーム情報を記録するゲーム情報記録手段と、上記各データベースの記録情報の修正更新等を行うデータベース管理手段と、前記キャラクターが所定のグループ分け条件に該当するか判定するグループ条件判定手段と、前記会員端末と情報の送受信を行う送受信手段と、該送受信手段を介して前記ゲーム情報を前記会員端末に提供するゲーム情報提供手段と、上記データベースと上記各手段とを制御する制御手段とを有し、前記グループ条件には、所定期間内に２以上のキャラクターが所定時間以上ともに前記ゲームに参加していることが含まれ、前記グループ条件判定手段は、前記会員端末から前記ネットワークゲームにキャラクターとして参加するごとに、前記キャラクターがグループ条件に該当するかの判定を行い、前記データベース管理手段がグループ条件に該当する前記キャラクターを、前記グループ情報データベースにグループ加入の登録を行うことを特徴とするグループ分け管理サーバである。
【００３７】
このようにグループ分け管理サーバにより、ネットワークゲーム上のキャラクターをグループすることで、グループ内のコミニュケーションを図ると共に、ゲームの娯楽性を向上させるものである。すなわち共通のキャラクターで、かつ一定時間以上共同でゲーム参加したものを、グループ化することで共同作戦をとるなどのゲーム参加の娯楽性も向上すると予測される。
【００３８】
また前記グループ情報データベースには、各グループ毎に定められたグループ識別標識に関するグループ識別標識情報が記録され、前記データベース管理手段は、グループ分けによりグループ加入した前記キャラクター画像に前記グループ識別標識を表示するために、前記会員情報データベースに前記グループ識別情報を前記キャラクター情報に関連付けて記録することができる。
【００３９】
グループを表すグループ識別情報をキャラクター画像に記載することでゲームの娯楽性が向上し、グループ参加そのものにゲーム性が生じるものである。
【００４０】
またグループ分け管理サーバは、前記グループ情報を前記会員端末からの閲覧要求に応じて、前記グループ情報データベースから抽出して前記会員端末に提供する閲覧情報提供手段を更に有することができる。
【００４１】
グループ情報の提供により、各カテゴリのグループに属したウェブサイトの記事情報へのアクセスが容易になり、またゲーム上のグループとその属するキャラクターの情報は、ゲームの娯楽性を向上させるからである。
【００４２】
更に、上記目的を達成するために本発明が提案するものは、ブログや電子掲示板等のネットワークコミュニケーションを提供する会員の開設による複数のウェブサイトの所定条件下におけるグループ分けをグループ分け管理サーバに実行させるグループ分けプログラムであって、前記会員のウェブサイト間でのリンク情報を前記会員端末から受信する処理と、前記リンク情報の受信ごとに、少なくともリンクされた側のウェブサイトについて、所定期間内のリンクされた数が所定数以上であることを含むグループ条件に該当するかの判定を行う処理と、前記グループ条件に該当する前記ウェブサイトを該当するグループに加入登録を行う処理と、を前記グループ分け管理サーバに実行させることを特徴とするグループ分けプログラムである。
【００４３】
さらに提案するものは、ネットワークを通じて行うネットワークゲームに参加する会員のゲーム上のキャラクターの所定条件下におけるグループ分けをグループ分け管理サーバに実行させるグループ分けプログラムであって、前記会員のネットワークゲームへのキャラクターとしての参加情報を前記会員の会員端末から受信する処理と、前記参加情報の受信ごとに、前記キャラクターが所定期間内に他のキャラクターと所定時間以上同時に参加したこと条件として含むグループ条件に該当するかの判定を行う処理と、前記グループ条件に該当する前記キャラクターを該当するグループに加入登録を行う処理と、を前記グループ分け管理サーバに実行させることを特徴とするグループ分けプログラムである。
【００４４】
かかる本発明のコンピュータプログラムが、コンピュータで実行されることにより、前述した処理動作を行う本発明のグループ分け管理サーバが実現されることになる。
【発明の効果】
【００４５】
本発明によれば、会員のウェブサイト相互で掲載記事のリンクが発生する毎に、グループ条件の判定を行い、該当するウェブサイトを該当するカテゴリのグループに加入登録して、その内容を各会員に提供するので、実際にリンクされた利用度の高い、コミュニケーションの対象となった記事内容のウェブサイトにアクセスすることができる。
【００４６】
またネットワークゲーム上の登場人物等である各キャラクターを所定の条件下でグループ分けすることにより、グループに属するキャラクター同士がゲーム上での交流のみならず、ゲーム以外においてもメール等の会話を行うことができ、ネットゲームを通じてのネットワークコミュニケーションをより図ることができると共に、グループとしてゲーム参加することでネットワークゲームの娯楽性も向上する。
【発明を実施するための最良の形態】
【００４７】
以下、添付図面を参照して本発明の好ましい形態としての実施例を示す。
【実施例１】
【００４８】
図１は、本発明に係るグループ分けシステムの第１の実施例の全体構成図、図２は同じくグループ分けシステムの第１の実施例の動作を示す流れ図、図３はグループ条件データベースに記録されているグループ条件を表した一覧図、図４はグループ情報データベースに記録されるブロググループ一覧の図、図５は国際政治に関するブログのグループである国際シンクタンク集団ＥＡＬの概要を表した図、図６はブログのグループである国際シンクタンク集団ＥＡＬに加入したブログ「時郎の時事  然々草」を表した図である。
【００４９】
図１の一例に示すように、本実施例のグループ分けシステムは、会員の開設するブログを管理すると共に、当該ブログを所定の条件下でグループ分けするグループ分け管理サーバ１と、インターネット回線２を介してグループ分け管理サーバ１（以下適宜「管理サーバ」と略す。）と情報を送受信するか会員端末３（３ａ、３ｂ、・・・、３ｎ）とを備えて構成される。
【００５０】
グループ分け管理サーバ１は、記録手段としての各種データベースを有するものである。図示の実施例では、各種データべースには、会員に関する情報とそのウェブサイトの情報とを記録する会員情報データベース１１と、ウェブサイトをグループ分けする条件を記録するグループ条件データベース１２と、グループとそのグループに属するウェブサイトの情報であるグループ情報を記録するグループ情報データベース１３が含まれている。
【００５１】
またグループ管理サーバは、上記各データベースの記録情報の修正更新等を行うデータベース管理手段１５と、ウェブサイトが所定のグループ分け条件に該当するか判定するグループ条件判定手段１６と、会員端末３（３ａ、３ｂ、・・・、３ｎ）と情報の送受信を行う送受信手段１７と、グループ情報を会員端末３（３ａ、３ｂ、・・・、３ｎ）からの閲覧要求に応じて、グループ情報データベース１３から該当事項を抽出して会員端末３（３ａ、３ｂ、・・・、３ｎ）に提供する閲覧情報提供手段１８と、上記データベースと上記各手段とを制御する制御手段１９とを備えている。
【００５２】
データベース管理手段１５は、上記したように各データベースの記録情報の修正更新等を行うものであり、会員が開設するウェブサイトが会員による入力データの変更に応じて会員情報データベースのウェブサイト情報を変更するものである。またウェブサイトに電子掲示板やコメント欄があり、第三者からの書き込みがあったときも、これに応じてウェブサイトに情報追加をするものである。
【００５３】
グループ条件判定手段１６はウェブサイトの掲載記事が他の会員のウェブサイトからリンクされたとき、あるいは他の会員のウェブサイトの掲載記事にリンクを張ったときごとに、ウェブサイトがグループ加入登録するための条件を満たすか判定するものである。閲覧情報提供手段１８は、グループ情報データベース１３に記録されているグループ情報、すなわち各グループとそのグループに属するブログの一覧情報等の情報を会員端末３（３ａ、３ｂ、・・・、３ｎ）からの閲覧要求情報に応じて提供するものである。提供するグループ情報の詳細については、後述する。
【００５４】
グループ分け管理サーバ１は、専用機を用いてもよいが、汎用機であるパーソナルコンピュータやワークステーション等にモデム等の通信装置である周辺機器を組み合わせ、本実施例に適合する所定のプログラムを作動させることで上記各手段及び各データベースの各機能を発揮させる形態にすることができる。この場合、前述した各データベースにはハードディスク等の外部記憶装置が該当し、データベース管理手段１５、グループ条件判定手段１６、閲覧情報提供手段１８及び制御手段１９は、ＣＰＵ、ＲＯＭ及びＲＡＭ等が該当する。
【００５５】
会員端末３（３ａ、３ｂ、・・・、３ｎ）（以下、適宜「会員端末３」と略す。）は、データの入力手段であるキーボードやマウス、自己の開設するウェブサイトを含む各種の画面を表示する表示手段たるディスプレイ等を含むパーソナルコンピュータやＰＤＡ等が該当する。
【００５６】
なお、識別表示用領域の確保には会員制ブログと提携しＨＰのフォーマットに組み込みResource Description Framework Site Summaryデータ（ＲＳＳデータ）等の提供を受けることを前提にできる。しかし、会員端末側に関わる機能を全てまとめた自由に自己のＨＰへの添付可能なスクリプトやオブジェクトを配布する形式とすることも可能である。
【００５７】
なお、ここで言うリンクとは通常のハイパーリンクやトラックバックの他にＲＳＳ等を通じて取得されるＨＰ相互の対応関係が判明する情報全てが含まれる。これにはコメント付けやブログの訪問履歴なども含まれる。
【００５８】
次に、本発明に係るグループ分けシステムの実施例の行う処理動作について、図２の流れ図を参照して説明する。
【００５９】
上記したように本実施例では、管理サーバ１においてブログを開設提供する会員ウェブサイトをグループ化するものである。
【００６０】
図２に示すように、会員ウェブサイトのブログにおいて、他の会員ウェブサイトのブログとリンクが張られたことにより、グループ分けシステムの動作が開始する（Ｓ１１）。ここで、リンクの感知にＲＳＳ等更新情報発信機能を有するサイトは、その情報をサーバーがリーダーとして受け取り、更新情報発信機能が無い場合はサーバーにクローリング機能部を設けて会員サイトを随時走査し、リンケージ情報を取得するようにできる。
【００６１】
グループ分けは管理サーバ１の管理下にあるブログのウェブサイトとの間で行うものであるから、管理サーバ１と無関係なブログとのリンクが張られてもグループ分けは行われない。したがってリンク間の少なくとも一方が管理サーバ１の会員でない場合はグループ分けの対象外となる（Ｓ１２）。
【００６２】
リンクは、一方のブログが他方のブログの掲載記事にリンクを張る場合のほか、トラックバックのようにリンクされた側がリンク先のブログを表示する、相互リンクを張る形式となるものも存在する。しかし、グループ条件に含まれるリンク数としては、リンクが張られた数が所定期間内に所定数以上あったときとする。リンクが張られるものほど利用度の高い、有益なものと考えられ、これをグループ加入させることで、有益な記事情報へのアクセスとなるからである。
【００６３】
リンク相互が会員ウェブサイトのものであるときは、グループ条件判定手段１６により、少なくともリンクが張られた側のウェブサイトがグループ条件を満たしているか判定される（Ｓ１３）。
【００６４】
なお、グループ条件判定に必要な情報はＲＳＳリーディング、クローリングを通じてグループ情報データベース１３に蓄積され、条件式等の形でグループ条件データベース１２の該当グループ情報と照合され、グループが新たに形成されるか判定される。
【００６５】
この機能の一部は、例えば、条件式中にグループの他のサイト情報が必要なく判定可能なリンケージ条件があればサーバーの処理の負担の軽減のため、対象ＨＰ上のＲＳＳフィーダーオブジェクト上に移すことも出来る。この場合、ＨＰ上でスクリーニングされたリンク情報のみがサーバーに送られる。
【００６６】
グループのリンクおよび割付け条件は当初は運営者側で設定するが、グループに含まれるブログよりの投票、等の入力によって条件を一部変更や再定義出来る事にしても良い。但しこれは閲覧者の利便性との兼ね合いもあり、必要なリンク頻度などはいじらせないシステムの方が有用性は高いと思われる。
【００６７】
さらに一定期間条件を満たすリンクが発生しないブログをグループより離脱、あるいは不活発なグループを解散させるなどの条件を加えることも可能である。
【００６８】
これによってＷＥＢコミュニティのその時点でのリンクの活発度からＷＥＢの情報流通の概要をグループ情報閲覧者に把握させることが可能となり、現在主流のgoogle（登録商標）等のキーワード検索やyahoo（登録商標）等のカテゴリー検索とは別な方法で効率的なＷＥＢ検索が実現可能となる。
【００６９】
図３は、グループ条件データベース１２に記録されたグループ条件を列挙した図である。図３は各グループとその加入条件の一例を示すものであり、これに限定されるものではない。またグループ条件も適宜変更することは可能であるが、リンクを張る度合いを加入条件に加えることは必須である。記事内容の属性等の条件のみでなく、さらにリンクにより実際に活用されたコミニュケーションの対象となった記事情報を提供するためである。
【００７０】
図３のグループ条件の概要を説明すると、例えばグループ名「国際シンクタンク集団ＥＡＬ」（グループＩＤ：ＫＳＳ２００６）は、加入のためのグループ条件として、「リンクする相互のブログにおける掲載記事の６０パーセント以上が国際政治に関するものであること」とグループの性格を条件としている。そしてさらに「このようなリンクが月３件以上あること」を条件とするものである。後者の条件は実際にリンクが張られたもの、あるいは張ったものを利用度の高い、実際に活用されたコミニュケーションの対象となった記事情報をグループ化して提供するためである。
【００７１】
なお他の一方がすでに「国際シンクタンク集団ＥＡＬ」（グループＩＤ：ＫＳＳ２００６）に属しているときは、一方が上記の条件を満たすことでグループ入りできることになる。
【００７２】
なお加入することができる各グループについては、管理サーバ１が提供するウェブサイトで、図４に示すブロググループ一覧が公開されるようになっている。
【００７３】
グループ入りしたブログのウェブサイトは、各グループ毎に加入ブログと、リンク記事を紹介するグループ概要紹介欄に掲載される（Ｓ１４）。図５は、グループの一つである「国際シンクタンク集団ＥＡＬ」（グループＩＤ：ＫＳＳ２００６）のグループ概要紹介欄を表示したものである。所属するブログの一覧と、所属するブログ間で多数リンクされた記事の見出し一覧も紹介されており、その記事のブログ名も掲載されていて、容易にアクセスできるようになっている。
【００７４】
またグループ概要紹介欄には、そのグループを表示する識別標識である絵文字が表示されており、グループに加入したブログのウェブサイトには図６に示すように、このグループ識別標識が表示されるようになり、ブログが特定のグループに属していることが容易に視認できる。
【００７５】
さらにこのグループ識別表示をクリックすると、当該グループのグループ概要紹介欄にリンク表示されるようになっている。たとえば図６に示すブログ「時郎の時事  然々草」に表示される「国際シンクタンク集団ＥＡＬ」（グループＩＤ：ＫＳＳ２００６）を示す絵文字（アイコン）をクリックすると、図５に示す「国際シンクタンク集団ＥＡＬ」（グループＩＤ：ＫＳＳ２００６）のグループ概要紹介欄がリンク表示されることになる。
【００７６】
このように、管理サーバ１の会員のブログのウェブサイトは、所定のカテゴリに属する記事内容を掲載し、相互に所定数のリンクを張ることで該当するグループに加入登録されるので、グループ内のブログは所定のカテゴリに属し、かつリンク利用されている有用な記事情報を提供するものであることから、所望の記事情報へアクセスすることが可能となるものである。
【００７７】
さらに管理サーバ１のＩＤグループ管理データベース（図１３（ａ）に一例を表す）の各種属性情報を利用してグループ概要紹介欄やグループブログ中にその属性に応じた広告等を配置することも出来る。これによって該当属性の記事の閲覧者に適した内容の広告を配置することが出来る。またグループに対するアフィリエイト提供なども行う事ができる。手数料は閲覧実績などから分配を決定する。
【００７８】
また会員端末３（３ａ、３ｂ、・・・、３ｎ）は、グループ分け管理サーバ１にグループ情報の閲覧要求を行うことで、管理サーバ１の閲覧情報提供手段１８によりグループ情報データベースから該当するグループ情報を抽出し送信される。
【実施例２】
【００７９】
つぎに本発明に係るグループ分けシステムの第２の実施例について図面を参照して説明する。
【００８０】
図７は、本発明に係るグループ分けシステムの第２の実施例の全体構成図、図８は同じくグループ分けシステムの第２の実施例の動作を示す流れ図、図９はグループ条件データベースに記録されているグループ条件を表した一覧図、図１０はグループ情報データベースに記録されるキャラクターのグループ一覧の図、図１１はキャラクターグループの一つであるオストラン騎士団Ｗの概要を表した図、図１２はキャラクターのグループの一つであるオストラン騎士団Ｗに加入したキャラクターの騎士（騎士ＩＤーＫＬ００２１）を表した図である。
【００８１】
実施例１がブログを提供するウェブサイトのグループ分けであるのに対し、実施例２はネットワークゲームに参加するキャラクターのグループ分けに関するものである。またグループ条件についても、実施例１がブログの掲載記事の内容とリンクされた数に応じたものであるのに対し、実施例２ではゲームに参加するキャラクターの種類と、ゲームに同時参加する度合いをグループ条件とすることが相違するものである。したがって、実施例２の説明は、主として実施例１と相違する点を中心に説明するものである。
【００８２】
そのため、実施例１と同一名称の構成部分は同一符号を付してある。図７の一例に示すように、本実施例のグループ分けシステムは、会員が参加するネットワークゲームを管理すると共に、当該ゲームに参加するキャラクターを所定の条件下でグループ分けするグループ分け管理サーバ１と、インターネット回線２を介してグループ分け管理サーバ１（以下適宜「管理サーバ」と略す。）と情報を送受信するか会員端末３（３ａ、３ｂ、・・・、３ｎ）とを備えて構成される。
【００８３】
グループ分け管理サーバ１は、記録手段としての各種データベースを有するものである。図示の実施例では、各種データべースには、会員に関する情報とゲーム参加するキャラクター情報とを記録する会員情報データベース１１と、キャラクターをグループ分けする条件を記録するグループ条件データベース１２と、グループとそのグループに属するキャラクターの情報であるグループ情報を記録するグループ情報データベース１３と、会員端末３（３ａ、３ｂ、・・・、３ｎ）にインターネット２介して提供するゲーム情報を記録するゲーム情報データベース２１とが含まれている。
【００８４】
またグループ管理サーバは、上記各データベースの記録情報の修正更新等を行うデータベース管理手段１５と、キャラクタが所定のグループ分け条件に該当するか判定するグループ条件判定手段１６と、会員端末３（３ａ、３ｂ、・・・、３ｎ）と情報の送受信を行う送受信手段１７と、グループ情報を会員端末３（３ａ、３ｂ、・・・、３ｎ）からの閲覧要求に応じて、グループ情報データベース１３から該当事項を抽出して会員端末３（３ａ、３ｂ、・・・、３ｎ）に提供する閲覧情報提供手段１８と、ゲーム情報データベース２１に記録されるゲーム情報をゲーム参加する会員端末３（３ａ、３ｂ、・・・、３ｎ）に送受信手段１７により提供するゲーム情報提供手段２２と、上記データベースと上記各手段とを制御する制御手段１９とを備えている。
【００８５】
データベース管理手段１５は、上記したように各データベースの記録情報の修正更新等を行うものであり、会員による参加ゲームやキャラクタ等に関する入力データの変更に応じて会員情報データベースのキャラクタ情報を変更するものである。
【００８６】
グループ条件判定手段１６は、会員端末３（３ａ、３ｂ、・・・、３ｎ）からゲーム参加したときに、グループ加入登録するための条件を満たすか判定するものである。これはゲーム参加があったときに、例えばゲーム参加の履歴情報等からグループ加入登録の条件を判定するためである。
【００８７】
閲覧情報提供手段１８は、グループ情報データベース１３に記録されているグループ情報、すなわち各グループとそのグループにキャラクターの一覧等の情報を会員端末３（３ａ、３ｂ、・・・、３ｎ）からの閲覧要求情報に応じて提供するものである。提供するグループ情報の詳細については、後述する。
【００８８】
グループ分け管理サーバ１は、専用機を用いてもよいが、汎用機であるパーソナルコンピュータやワークステーション等にモデム等の通信装置である周辺機器を組み合わせ、本実施例に適合する所定のプログラムを作動させることで上記各手段及び各データベースの各機能を発揮させる形態にすることができる。この場合、前述した各データベースにはハードディスク等の外部記憶装置が該当し、データベース管理手段１５、グループ条件判定手段１６、閲覧情報提供手段１８及び制御手段１９は、ＣＰＵ、ＲＯＭ及びＲＡＭ等が該当する。
【００８９】
会員端末３（３ａ、３ｂ、・・・、３ｎ）（以下、適宜「会員端末３」と略す。）は、データの入力手段であるキーボードやマウス、自己の開設するウェブサイトを含む各種の画面を表示する表示手段たるディスプレイ等を含むパーソナルコンピュータやＰＤＡ等が該当する。
【００９０】
次に、本発明に係るグループ分けシステムの実施例の行う処理動作について、図８の流れ図を参照して説明する。
【００９１】
上記したように本実施例では、管理サーバ１が提供するネットワークゲームに参加するキャラクターを所定条件のもとでグループ化するものである。
【００９２】
図８に示すように、会員端末３（３ａ、３ｂ、・・・、３ｎ）から管理サーバ１の提供するネットワークゲームにキャラクターとして参加することにより、グループ分けシステムの動作が開始する（Ｓ２１）。
【００９３】
グループ分けは管理サーバ１の提供する会員用のゲームであるから、会員端末３（３ａ、３ｂ、・・・、３ｎ）以外から参加してもグループ分けの対象とならず、会員参加のキャラクターのみがグループ分けの対象となる（Ｓ２２）。
【００９４】
よって会員端末３（３ａ、３ｂ、・・・、３ｎ）からゲームにキャラクター参加したときに、グループ条件判定手段１６によりグループ条件を満たしているか判定される（Ｓ２３）。
【００９５】
図９は、グループ条件データベース１２に記録されたグループ条件を列挙した図である。図９は各グループとその加入条件の一例を示すものであり、これに限定されるものではない。またグループ条件も適宜変更することは可能であるが、ゲームに他の会員と所定時間同一フィールドに参加していることを加入条件に加えることは必須である。同時参加が可能なものをグループ化して、グループとしてのゲーム参加により娯楽性の向上と、コミュニケーションの活性を図るものだからである。
【００９６】
図９のグループ条件の概要を説明すると、例えばグループ名「オストラン騎士団Ｗ（ウィークデイナイト」（グループＩＤ：ＮＧ００１１）は、加入のためのグループ条件として、「ゲーム上のキャラクターが騎士であること」、「平日１９時〜２４時の間に週５時間以上他の会員と同一フィールドに参加していること、そしてこれを月間２週以上連続していること」を条件とするものである。後者の条件は実際にキャラクタとして参加し、他の会員と同時参加したものであることを条件にするものである。
【００９７】
なお他の一方がすでに「オストラント騎士団Ｗ」（ウィークデイナイト」（グループＩＤ：ＮＧ００１１）に属しているときは、一方が上記の条件を満たすことでグループ入りできることになる。
【００９８】
なお加入することができる各グループについては、管理サーバ１が提供するウェブサイトで、図１０に示すグループ一覧が公開されるようになっている。
【００９９】
グループ入りした会員のキャラクターは、各グループを紹介するグループ概要紹介欄にキャラクターＩＤが掲載される（Ｓ２４）。図１１は、グループの一つである「オストラント騎士団Ｗ」（ウィークデイナイト」（グループＩＤ：ＮＧ００１１）のグループ概要紹介欄を表示したものである。所属するキャラクターＩＤの一覧と、グループの属性等の概要も紹介されている。
【０１００】
またグループ概要紹介欄には、そのグループを表示する識別標識である絵文字が表示されており、グループに加入したキャラクターには図１２に示すように、このグループ識別標識が表示されるようになり、キャラクターが特定のグループに属していることが容易に視認できる。
【０１０１】
さらにこのグループ識別表示をクリックすると、当該グループのグループ概要紹介欄にリンク表示されるようになっている。たとえば図１２に示す「オストラント騎士団Ｗ」（ウィークデイナイト」（グループＩＤ：ＮＧ００１１）を示す絵文字（アイコン）をクリックすると、図１１に示す「オストラント騎士団Ｗ」（ウィークデイナイト」（グループＩＤ：ＮＧ００１１）のグループ概要紹介欄がリンク表示されることになる。
【０１０２】
ネットワークゲームに参加するキャラクターをグループ分けすることで、このグループ分け自体がゲーム的楽しさを与えると共に、グループとして他の会員とともにゲーム参加できるという楽しさをも提供することができる。さらにグループ分けすることで、ゲーム参加以外の、例えばメール交換等のコミュニケーションも図ることができるものである。
【０１０３】
また会員端末３（３ａ、３ｂ、・・・、３ｎ）は、グループ分け管理サーバ１にグループ情報の閲覧要求を行うことで、管理サーバ１の閲覧情報提供手段１８によりグループ情報データベースから該当するグループ情報を抽出し送信される。
【０１０４】
以上、添付図面を参照して本発明の好ましい実施形態・実施例を説明したが、本発明はかかる実施形態・実施例に限定されるものではなく、特許請求の範囲の記載から把握される技術的範囲において種々の形態に変更可能である。
【図面の簡単な説明】
【０１０５】
【図１】本発明に係るグループ分けシステムの第１の実施例の全体構成図。
【図２】本発明に係るグループ分けシステムの第１の実施例の動作を示す流れ図。
【図３】グループ条件データベースに記録されているグループ条件を表した一覧図。
【図４】グループ情報データベースに記録されるブロググループ一覧の図。
【図５】国際政治に関するブログのグループである国際シンクタンク集団ＥＡＬの概要を表した図。
【図６】ブログのグループである国際シンクタンク集団ＥＡＬに加入したブログ「時郎の時事  然々草」を表した図。
【図７】本発明に係るグループ分けシステムの第２の実施例の全体構成図。
【図８】同じくグループ分けシステムの第２の実施例の動作を示す流れ図。
【図９】グループ条件データベースに記録されているグループ条件を表した一覧図。
【図１０】グループ情報データベースに記録されるキャラクターのグループ一覧の図。
【図１１】キャラクターグループの一つであるオストラン騎士団Ｗの概要を表した図。
【図１２】キャラクターのグループの一つであるオストラン騎士団Ｗに加入したキャラクターの騎士（騎士ＩＤーＫＬ００２１）を表した図。
【図１３】（ａ）ＩＤグループ管理データベースの構造の一例を説明する図、（ｂ）会員情報データベースの構造の一例を説明する図。
【符号の説明】
【０１０６】
１  グループ分け管理サーバ（管理サーバ）
２  インターネット回線
３（３a、３ｂ、・・・、３ｎ）  会員端末
１１  会員情報データベース
１２  グループ条件データベース
１３  グループ情報データベース
１５  データベース管理手段
１６  グループ条件判定手段
１７  送受信手段
１８  閲覧情報提供手段
１９  制御手段
２１  ゲーム情報データベース
２２  ゲーム情報提供手段
【図１】
2008003969.tif 000003
【図２】
2008003969.tif 000004
【図３】
2008003969.tif 000005
【図４】
2008003969.tif 000006
【図５】
2008003969.tif 000007
【図６】
2008003969.tif 000008
【図７】
2008003969.tif 000009
【図８】
2008003969.tif 000010
【図９】
2008003969.tif 000011
【図１０】
2008003969.tif 000012
【図１１】
2008003969.tif 000013
【図１２】
2008003969.tif 000014
【図１３】
2008003969.tif 000015